(57)【要約】      （修正有）【課題】３Ｄの発散角を有し、良好な放熱効率を実現するＬＥＤ照明装置を提供する。【解決手段】ＬＥＤ照明装置は、口金と、カバーと、口金に取り付けるＬＥＤ光源ユニットとを含む。ＬＥＤ光源ユニットは、基板と、基板に設けるＬＥＤチップと、ＬＥＤチップを包み込む接着剤密封層と、接着剤密封層に塗布する導光層とを含む。導光層は蛍光接着剤を採用し、光の回折現象を通して、蛍光接着剤の短波長の光を長波長の光に変換することで、発光輝度を高める。【選択図】図３
0003179178.tif 000002
【実用新案登録請求の範囲】
【請求項１】
３Ｄの発散角を有するＬＥＤ照明装置は、
末端製品のソケットとの信号接続に用いる口金と、口金に固定するカバーと、口金に取り付けるＬＥＤ光源ユニットとを含み、
前記ＬＥＤ光源ユニットは、基板と、基板に設けるＬＥＤチップと、ＬＥＤチップを包み込む接着剤密封層と、接着剤密封層に塗布する導光層とを含み、
前記導光層は、蛍光接着剤を採用し、光の回折現象を通して、蛍光接着剤の短波長の光を長波長の光に変換することで、発光輝度を高め、ＬＥＤチップの発散角を効果的に拡大するとともに、光源基板の熱エネルギーを効果的に低下させることを特徴とするＬＥＤ照明装置。
【請求項２】
前記ＬＥＤチップは、波長445〜475ｎｍの高輝度青色光チップ、或いは波長430〜350ｎｍの紫外光チップを採用することを特徴とする請求項１に記載のＬＥＤ照明装置。
【請求項３】
前記蛍光接着剤は、ＬＥＤチップに係合させ、青色光チップまたは紫外光チップを採用し、それに対応させて、青色光或いは紫外光で励起される黄色蛍光体、或いは赤緑青三色の蛍光体を接着剤に配合して生成することを特徴とする請求項２に記載のＬＥＤ照明装置。
【請求項４】
前記基板は金属或いは陶磁材質であり、ヒ化ガリウム（ＧａＡｓ）、リン化ガリウム（ＧａＰ）、リン化インジウム（ＩｎＰ）、ケイ素（Ｓｉ）、炭化ケイ素（ＳｉＣ）、サファイア（Ｓａｐｐｈｉｒｅ、Ａｌ2Ｏ3）等とすることを特徴とする請求項１に記載のＬＥＤ照明装置。
【請求項５】
前記接着剤密封層は、最良の放熱及び通気効果を有するシリコン（Ｓｉｌｉｃｏｎｅ）を採用することを特徴とする請求項１に記載のＬＥＤ照明装置。
【考案の詳細な説明】
【技術分野】
【０００１】
本考案は、ＬＥＤ照明装置に関し、特に３Ｄの光発散角度を有し、尚且つ放熱効率の良好なＬＥＤ照明装置に係る。
【背景技術】
【０００２】
従来のタングステン灯や白熱電球を光源とする照明は、照射角度が幅広く、無指向性であった。現在のＬＥＤを光源とする照明は、室内照明、室外照明、フレキシブルな照明、携帯式照明等に幅広く応用されているものの、その光発散角は狭く、指向性が高い故、比較的広い光発散角を達成するために、複数のＬＥＤを異なる方角の基板上に配置するか、複数のＬＥＤを組み合わせたものを異なる方角の積載板上に設置したＬＥＤ光源モジュールを構成することで（特許文献１参照）タングステン灯の照明効果を達成している。
【０００３】
前記ＬＥＤ光源モジュールは、複数のＬＥＤを一つ或いは複数の基板上に結合する故に、電気接続が複雑になる他、基板上には複数のＬＥＤによって熱エネルギーが生じ、その熱を効果的に排出できない。構造に放熱設計を追加しない場合は、一般には低光束製品のみに適するものとなり、放熱設計を追加した場合は（例えば、凹凸をつけた外カバーによって放熱面積を拡大する等）高光束製品に適するものとなる。しかし、それに対するコストもアップし、発散角は３Ｄとはならない。よって、いかにＬＥＤの発散角と放熱効果を効果的に高めるかが改善すべく課題である。
【先行技術文献】
【特許文献】
【０００４】
【特許文献１】台湾実用新案公告第Ｍ４１９０２０号明細書
【考案の概要】
【考案が解決しようとする課題】
【０００５】
本考案のＬＥＤ照明装置は、３Ｄの発散角を有し、尚且つ好ましい放熱効率を発揮するＬＥＤ照明装置の提供を目的とする。本考案のＬＥＤ照明装置は、ＬＥＤチップ自体に導光層を備え、光源を拡散照射するため、公知の複数のＬＥＤチップ及び多方向設置方式に取って代わることができ、効果的に発散角を拡大して熱エネルギーとコストを低下させることができる。
【課題を解決するための手段】
【０００６】
前述の目的を達成するために、本考案のＬＥＤ照明装置は、末端製品のソケットとの信号接続に用いる口金と、口金に固定するカバーと、口金に取り付けるＬＥＤ光源ユニットとを含む。その特徴は次のとおりである。ＬＥＤ光源ユニットは、基板と、基板に設けるＬＥＤチップと、ＬＥＤチップを包み込む接着剤密封層と、接着剤密封層に塗布する導光層とを含む。導光層は蛍光接着剤を採用し、光の回折現象を通して、蛍光接着剤の短波長の光を長波長の光に変換することで、発光輝度を高める効果を発揮する。
【０００７】
前述に基づくＬＥＤチップは、波長445〜475ｎｍの高輝度青色光チップ、或いは波長430〜350ｎｍの紫外光チップを採用する。蛍光接着剤は、ＬＥＤチップに係合させ、青色光チップまたは紫外光チップを採用し、それに対応させ、青色光或いは紫外光で励起される黄色蛍光体、或いは赤緑青三色の蛍光体を接着剤に配合して生成する。
【考案の効果】
【０００８】
本考案のＬＥＤ照明装置は、３Ｄの発散角を有し、尚且つ好ましい放熱効率を実現する効果を有する。
【図面の簡単な説明】
【０００９】
【図１】本考案ＬＥＤ照明装置の立体分解図である。
【図２】本考案ＬＥＤ照明装置のＬＥＤチップの断面図である。
【図３】図１の立体図及び３Ｄ発散角を示す図である。
【考案を実施するための形態】
【００１０】
本考案の技術内容、構造特徴、達成する目的を詳細に説明するため、以下に実施例を挙げ並びに図面を組み合わせて説明する。
【００１１】
図１及び図２に示すとおり、本考案のＬＥＤ照明装置１は、口金２とカバー３、口金２に取り付けるＬＥＤ光源ユニット４を含む。その内、口金２はＬＥＤ光源ユニット４を取り付けるのに用い、末端製品（スタンドのソケット、蛍光灯のソケット、タングステン灯のソケット等）との信号接続に用いる。カバー３はＬＥＤ光源ユニット４の周囲を覆い、口金２に固定する。ＬＥＤ光源ユニット４は、基板４０、ＬＥＤチップ４１、接着剤密封層４２、導光層４３等の構造を含む。その内、基板４０は金属或いは陶磁材質であり、ヒ化ガリウム（ＧａＡｓ）、リン化ガリウム（ＧａＰ）、リン化インジウム（ＩｎＰ）、ケイ素（Ｓｉ）、炭化ケイ素（ＳｉＣ）、サファイア（Ｓａｐｐｈｉｒｅ、Ａｌ2Ｏ3）等とする。
【００１２】
ＬＥＤチップ４１は基板４０上に設置し、波長445〜475ｎｍの高輝度青色光チップ、或いは波長430〜350ｎｍの紫外光チップを採用する。接着剤密封層４２はＬＥＤチップ４１上を覆い、最良の放熱及び通気効果を有するシリコン（Ｓｉｌｉｃｏｎｅ）を採用する。導光層４３は蛍光接着剤である。蛍光接着剤は前記ＬＥＤチップ４１に係合させ、青色光チップ或いは紫外光チップを採用し、それに対応させて、青色光或いは紫外光で励起される黄色蛍光体を接着剤に配合するか、赤緑青三色の蛍光体を配合して生成する。
【００１３】
即ち、青色光ＬＥＤ励起黄色蛍光体を用いて、青色光と黄色光の相互補色原理により混光して高輝度白色光を作るか、紫外光励起ＲＧＢ蛍光体を用いて白色光ＬＥＤを形成する。
【００１４】
前記構造による本考案のＬＥＤ照明装置１を末端製品のソケット（未図示）に取り付けて通電すると、光の回折現象を通して、導光層４３の蛍光接着剤の短波長の光を長波長の光に変換し、ＬＥＤチップ４１は発光輝度を高めるため、ＬＥＤチップ４１は３Ｄの発散角を効果的に拡大させることができ（図３参照）、ＬＥＤ照明装置１は高光束製品に適するものとなる。また、本考案は、同一の基板４０上でのＬＥＤチップ４１の数量を減少させるため、電気接続は単純化し、基板４０に生じる熱エネルギーを低下させる。よって、ＬＥＤ照明装置１を使用中の熱エネルギーを効果的に低下させ、使用寿命を高めることができる。
【００１５】
以上述べたことは、本考案の実施例にすぎず、本考案の実施の範囲を限定するものではなく、本考案の実用新案登録請求の範囲に基づきなし得る同等の変化と修飾は、いずれも本考案の実用新案登録請求範囲のカバーする範囲内に属するものとする。
【符号の説明】
【００１６】
１          ＬＥＤ照明装置
２          口金
３          カバー
４          ＬＥＤ光源ユニット
４０        基板
４１        ＬＥＤチップ
４２        接着剤密封層
４３        導光層
【図１】
0003179178.tif 000003
【図２】
0003179178.tif 000004
【図３】
0003179178.tif 000005